(57)【要約】【課題】蓄積性蛍光体パネルを放射線像読取装置の所定の位置へより短時間で配置する。【解決手段】位置決めの基準面３１を有する位置決め部材３０により、蓄積性蛍光体パネル１００の基準面３１と蓄積性蛍光体層２０の表面２１との間隔を予め定められた所定の間隔に調節する。その後、蓄積性蛍光体パネル１００を放射線像読取装置２００に配置する。【選択図】          図２
2005049366.tif 000002
【特許請求の範囲】
【請求項１】
支持基板上に蓄積性蛍光体層を積層してなり、放射線像読取装置に配置されて前記蓄積性蛍光体層に記録された放射線像が読み取られる蓄積性蛍光体パネルであって、
前記放射線像読取装置に前記蓄積性蛍光体パネルが配置される際の位置決めの基準面を有する位置決め部材が前記蓄積性蛍光体パネルに変位可能に設けられ、前記位置決め部材を変位させることにより前記基準面と前記蓄積性蛍光体層の表面との間隔を調節可能に構成したことを特徴とする蓄積性蛍光体パネル。
【請求項２】
前記放射線像読取装置が、前記放射線像の読取りとともに、該放射線像読取装置に配置された前記蓄積性蛍光体パネルに対して前記放射線像の記録が可能な放射線像記録読取装置であることを特徴とする請求項１記載の蓄積性蛍光体パネル。
【発明の詳細な説明】
【０００１】
【発明の属する技術分野】
本発明は、蓄積性蛍光体パネルに関し、詳しくは、放射線像読取装置に配置されて放射線像が読み取られる蓄積性蛍光体パネルに関するものである。
【０００２】
【従来の技術】
従来より、Ｘ線等の放射線を照射するとこの放射線エネルギの一部を蓄積し、その後、可視光等の励起光を照射すると蓄積された放射線エネルギに応じて輝尽発光を示す蓄積性蛍光体（輝尽性蛍光体）を利用して、人体等の被写体の放射線像を蓄積性蛍光体層に一旦潜像として記録し、この蓄積性蛍光体層にレーザ光等の励起光を照射して輝尽発光光を生じせしめ、この輝尽発光光を光電的に検出して被写体の放射線像を表す画像信号を取得する放射線像記録装置および放射線像読取装置等からなる放射線像記録再生システムがＣＲ（Ｃｏｍｐｕｔｅｄ  Ｒａｄｉｏｇｒａｐｈｙ）としてが知られている。
【０００３】
上記放射線像記録再生システムに使用される記録媒体として、支持基板上に蓄積性蛍光体層を積層して形成した蓄積性蛍光体パネルが知られている。上記蓄積性蛍光体パネルは、この蓄積性蛍光体パネルから放射線像が読み取られた後、消去光が照射されて蓄積性蛍光体層に残存している放射線エネルギが放出されると再び放射線像の記録が可能となり、放射線像の記録および読取りに繰り返して使用される。
【０００４】
ところで、上記放射線像の記録および読取りを行う装置として、記録装置と読取装置とを一体とした放射線像記録読取装置が知られている。この放射線像記録読取装置においては、装置本体に固定された蓄積性蛍光体パネルに対して、上記放射線像の記録および読取りが繰り返して実施される。また、上記の放射線像記録読取装置に配置された蓄積性蛍光体パネルは長期間の使用により記録および読取りの性能が低下するため、定期的に新しい蓄積性蛍光体パネルに交換されている。
【０００５】
【発明が解決しようとする課題】
ところで、上記の放射線像記録読取装置に配置された蓄積性蛍光体パネルを交換する際には、この放射線像記録読取装置が稼動している現場において交換作業が行なわれるため、この交換作業を短時間で実施したいという要請がある。
【０００６】
しかしながら、新しい蓄積性蛍光体パネルは装置内の所定の位置に正確に（例えば蓄積性蛍光体層の表面を所定の基準位置に対して±２５μｍ以内の精度で）配置する必要があり、これに対して、上記蓄積性蛍光体パネルには製作上の都合により寸法のバラツキがあるため各蓄積性蛍光体パネルに対して上記位置の調節を個別に実施しており、この位置調節に多くの時間を要するという問題がある。
【０００７】
なお、上記問題は、蓄積性蛍光体パネルが配置されて、この蓄積性蛍光体パネルから放射線像を読み取る放射線像読取装置に共通する問題である。
【０００８】
本発明は、上記事情に鑑みてなされたものであり、放射線像読取装置の所定の位置への配置をより短時間で実施することができる蓄積性蛍光体パネルを提供することを目的とするものである。
【０００９】
【課題を解決するための手段】
本発明の蓄積性蛍光体パネルは、支持基板上に蓄積性蛍光体層を積層してなり、放射線像読取装置に配置されて前記蓄積性蛍光体層に記録された放射線像が読み取られる蓄積性蛍光体パネルであって、放射線像読取装置に蓄積性蛍光体パネルが配置される際の位置決めの基準面を有する位置決め部材が蓄積性蛍光体パネルに変位可能に設けられ、この位置決め部材を変位させることにより前記基準面と蓄積性蛍光体層の表面との間隔を調節可能に構成したことを特徴とするものである。
【００１０】
前記放射線像読取装置は、放射線像の読取りとともに、この放射線像読取装置に配置された蓄積性蛍光体パネルに対して放射線像の記録が可能な放射線像記録読取装置とすることができる。すなわち、前記放射線像読取装置は、放射線像の読み取り専用装置であってもよいし、放射線像の記録も行なえる放射線像記録読取装置であってもよい。
【００１１】
ここで言う、支持基板上に蓄積性蛍光体層を積層してなる構造は、代表的には
（１）支持基板上に直接蓄積性蛍光体層を形成した構造。
（２）別途中間支持体上に蓄積性蛍光体層を形成したものを、支持基板上に貼り付けた構造。    であるが、これらに限られたものではなく、支持基板上に少なくとも蓄積性蛍光体層が積層されているあらゆる構造を含むものである。
【００１２】
【発明の効果】
本発明の蓄積性蛍光体パネルによれば、放射線像読取装置に配置される際の位置決めの基準面を有する位置決め部材が変位可能に設けられ、位置決め部材を変位させることによって、基準面と蓄積性蛍光体層の表面との間隔を調節可能としたので、上記基準面と蓄積性蛍光体層の表面との間隔を予め調節しておくことにより、この放射線像読取装置上で蓄積性蛍光体パネルの所定の位置への位置調節を行なうことなくこの蓄積性蛍光体パネルを放射線像読取装置に配置することができる。これにより、蓄積性蛍光体パネルの放射線像読取装置の所定の位置への配置をより短時間で実施することができる。
【００１３】
【発明の実施の形態】
以下、本発明の実施の形態について、図面を用いて説明する。図１は本発明の実施の形態による蓄積性蛍光体パネルの概略構成を示す図であり、図１（ａ）は側面図、図１（ｂ）は底面図である。図２は上記蓄積性蛍光体パネルが配置される放射線像記録読取装置の概略構成を示す図であり、図２（ａ）は平面図、図２（ｂ）は側面図である。図３は位置決め部材の雄ネジ部が支持基板の雌ネジ部に螺合された様子を示す拡大断面図、図４は蓄積性蛍光体層の表面と位置決め部材の基準面との間隔を所定の間隔に調整する様子を示す側面図、図５は基台上に載置された蓄積性蛍光体パネルを示す図であり、図５（ａ）は平面図、図５（ｂ）は側面図である。図６は位置決め部材の基準面が基台の受部で支持された様子を示す拡大側面図である。
【００１４】
図１および図２に示すように、本発明の実施の形態による蓄積性蛍光体パネル１００は、支持基板１０上に蓄積性蛍光体層２０を積層してなり、後述する放射線像記録読取装置２００に配置されて、蓄積性蛍光体層２０に放射線像を記録するとともに、この蓄積性蛍光体層２０に記録された放射線像を読み取るものである。
【００１５】
この蓄積性蛍光体パネル１００は、放射線像記録読取装置２００に配置される際の位置決めの基準面３１を有する位置決め部材３０が移動可能に設けられ、この位置決め部材３０を支持基板１０に対して移動させることにより基準面３１と蓄積性蛍光体層２０の表面２１との間隔を調節可能に構成されているものである。
【００１６】
位置決め部材３０は、全体として円筒形状をなし、この円筒形状の外周部にネジ部を形成してなる雄ネジ部３２と、この雄ネジ部３２の下方に固着され位置決め部材３０を回転させるナット部３３と、上記円筒形状の円筒軸方向の下方の一端に緩やかな凸曲面を有する底面部３４とからなり（図３参照）、蓄積性蛍光体パネル１００が放射線像記録読取装置２００に配置される際に、後述する基台５３の受部５２に接する上記底面部３４上の先端面が上記基準面３１となる。
【００１７】
支持基板１０は、内周部にネジ部を形成してなる雌ネジ部１２を有する雌ネジ穴１３を下面１１に備え、この雌ネジ部１２が上記位置決め部材３０の雄ネジ部３２に螺合している。なお、雌ネジ穴１３は下面１１上の互いに離れた４箇所（Ｐ１、Ｐ２、Ｐ３、Ｐ４）に配置されており、各雌ネジ穴１３それぞれに位置決め部材３０が螺合している。
【００１８】
図２に示すように、放射線像記録読取装置２００は、台座５０と、台座５０に支持された装置本体５１とからなり、装置本体５１は、蓄積性蛍光体パネル１００が配置される際に、支持基板１０の雌ネジ穴１３に螺合されている４つの位置決め部材３０のそれぞれの基準面３１が当てつけられる受部５２を有する基台５３と、後述する読取手段６５を副走査方向（図中矢印Ｙ方向）に走査させる副走査手段６０と、この副走査手段６０に配設され、装置本体５１に配置された蓄積性蛍光体パネル１００への励起光の照射により発生した輝尽発光光を検出して蓄積性蛍光体パネル１００に記録されている放射線像を読み取る読取手段６５とを備えている。なお、この放射線像記録読取装置２００は放射線像蓄積性蛍光体層２０に放射線像を記録する記録手段である放射線照射部６９も備えている。
【００１９】
副走査手段６０は、装置本体５１の筐体５５の側面５４に副走査方向へ向けて配設された一対の走査レール６１と、これらの走査レール６１上を移動する移動台６２と、移動台６２を副走査方向に走査させる駆動手段（図示は省略）とを備え、これにより移動台６２に配設された読取手段６５が副走査方向に走査される。
【００２０】
読取手段６５は、装置本体５１に配置された蓄積性蛍光体パネル１００に対して上記副走査方向と直交する主走査方向（図中矢印Ｘ方向）に線状の励起光を照射する励起光源６６と、この励起光源６６からの励起光の照射により蓄積性蛍光体パネル１００から発生したライン状の輝尽発光光を検出するライン検出手段６７とを備えている。読取手段６５が、副走査手段６０によって副走査方向に走査されつつ、上記励起光を照射し上記輝尽発光光を検出することにより、この読取手段６５が蓄積性蛍光体パネル１００の蓄積性蛍光体層２０に記録されている２次元状の放射線像を読み取る。
【００２１】
次に蓄積性蛍光体パネル１０を放射線像記録読取装置２００に配置する際の作用について説明する。
【００２２】
図４に示すように、蓄積性蛍光体層２０の表面２１と位置決め部材３０の基準面３１との間隔を、放射線像記録読取装置２００に対して予め定められている所定の間隔となるように調整するために、蓄積性蛍光体パネル１００を放射線像記録読取装置２００とは異なる場所に設置されている基準台７０の基準平面７１上に載置する。なお、上記基準平面７１は正確な平面精度（例えば平面度±５μｍ）を有しているものである。
【００２３】
次に、基準平面７１と蓄積性蛍光体層２０の表面２１との間隔を測定するための間隔測定器８０を用意し、この間隔測定器８０によって、上記基準台７０の基準平面７１と蓄積性蛍光体層２０の表面２１との間隔、すなわち位置決め部材３０の基準面３１と蓄積性蛍光体層２０の表面２１との間隔を蓄積性蛍光体層２０上の各所において測定する。なお、間隔測定器８０は、スタンド８１と、スタンド８１から水平方向に延びるアーム８２とアーム８２の先端に支持された測長ヘッド８３と、測長ヘッド８３によって測定された測定結果を表示する表示器８４とを備えている。
【００２４】
間隔測定器８０による測定は、始めに、間隔測定器８０のスタンド８１を基準台７０の基準平面７１に載置して、アーム８２の先端に支持された測長ヘッド８３の接触子８５を蓄積性蛍光体パネル１００の蓄積性蛍光体層２０に接触させて、基準平面７１と蓄積性蛍光体層２０の表面２１との間隔の誤差（予め定められている所定の間隔からの誤差）を測定する。なお、上記間隔測定器８０は、測長ヘッド８３による測定結果が±０となったときに、上記基準平面７１と表面２１との間隔が上記所定の間隔となるように予め調節しておく。
【００２５】
次に、位置決め部材３０のナット部３３を介してこの位置決め部材３０を回転させ、基準平面７１と蓄積性蛍光体層２０の表面２１との間隔、すなわち基準面３１と表面２１との間隔Ｗが上記予め定められた所定の間隔となるように調節する。この調節を上記４箇所（Ｐ１、Ｐ２、Ｐ３、Ｐ４、図１参照）に配置されているそれぞれの位置決め部材３０に対して行なう。
【００２６】
上記調節が完了した後、各位置決め部材３０と支持基板１０とを接着剤３９で固定して位置決め部材３０と支持基板１０とが一体化され、基準面３１と表面２１との間隔Ｗが予め定められた所定の間隔となるように位置決め部材３０が配設された蓄積性蛍光体パネル１００′を得る。
【００２７】
次に、この位置決め部材３０が配設された蓄積性蛍光体パネル１００′を、放射線像記録読取装置２００が設置されている場所に運搬して、放射線像記録読取装置２００に蓄積性蛍光体パネル１００′を配置する。
【００２８】
図５（なお、図５は射線画像記録読取装置２００の基台５３の近傍のみを示す）、および図６に示すように、支持基板１０が、この支持基板１０に固定されている４つの位置決め部材３０のそれぞれの基準面３１を介して、各受部５２の受面５９で支持されるように、蓄積性蛍光体パネル１００′を基台５３上に載置する。
【００２９】
基台５３に蓄積性蛍光体パネル１００′を載置した後、この蓄積性蛍光体パネル１００′が主走査方向（図５中矢印Ｘ方向）、副走査方向（図５中矢印Ｙ方向）にずれないように、この蓄積性蛍光体パネル１００′の４隅を側板５４で支持する。なお、各側板５４は基台５３にネジ５８を介して固定される。
【００３０】
ここで、この射線画像記録読取装置２００においては、各受部５２の受面５９と間隔Ｗだけ隔てて上方に位置する平面Ｈが、読取手段６５による放射線像の読取面となるように予め設定されているので（図２（ｂ）参照）、蓄積性蛍光体パネル１００′が基台５３に配置されたときに、上記のような調節を行なうことなく蓄積性蛍光体層２０の表面２１を上記読取面に一致させることができる。
【００３１】
なお、上記放射線画像記録読取装置２００は、放射線像の読取面と、放射線像の記録面との位置が互いに一致するように設定されているので、蓄積性蛍光体層２０の表面２１を放射線画像記録読取装置２００の読取面に一致させることで、上記放射線照射部６９による放射線像の記録面と上記表面２１とが一致する。
【００３２】
これにより、蓄積性蛍光体パネル１００′の放射線像記録読取装置２００への配置が完了し、蓄積性蛍光体層２０に記録されている２次元状の放射線像が読取手段６５によって読み取り可能となる。
【００３３】
上記のように本発明による蓄積性蛍光体パネルによれば、放射線像記録読取装置の所定の位置への配置をより短時間で実施することができる。
【００３４】
なお、図７に示すように、上記位置決め部材を、基準面９０を軸９１の先端に有するマイクロメータヘッド９３とし、マイクロメータヘッド９３による軸９１の出し入れによって蓄積性蛍光体層２０の表面２１と基準面９０との間隔Ｗ１を調節したり、図８に示すように、位置決め部材を、位置決めの基準面９４を端面に有する円筒ブロック９５とし、この円筒ブロック９５と支持基板１０との間に挿入するスペーサ９６の厚さの変更によって上記蓄積性蛍光体層２０の表面２１と基準面９４との間隔Ｗ２を調節するようにしてもよい。
【００３５】
図９および図１０に位置決め部材の基準面を蓄積性蛍光体パネルの底面より高い位置に配置するように構成した例を示す。図９（ａ）は蓄積性蛍光体パネルを放射線像記録読取装置の基台上に配置する前の状態を示す正面図、図９（ｂ）は蓄積性蛍光体パネルを放射線像記録読取装置の基台上に配置した状態を示す正面図、図１０は蓄積性蛍光体パネルを放射線像記録読取装置の基台に配置した状態を示す平面図である。
【００３６】
放射線像記録読取装置の基台５３上に４つの受部５２Ａを配設して、これらの受部５２Ａの上記基台５３の側とは反対側に受面５９Ａをそれぞれ形成する。また、蓄積性蛍光体パネル１００Ａについては、蓄積性蛍光体層２０を積層している支持基板１０Ａの蓄積性蛍光体層２０の側の縁部に設けた取付面１４Ａに、位置決め部材である４つの平板９５Ａをスペーサ９６Ａを介してボルト９７Ａで固定できるようにする。
【００３７】
これにより、蓄積性蛍光体パネル１００Ａが配置される際の位置決めの基準面９４Ａを有する平板９５Ａを、蓄積性蛍光体パネル１００Ａに変位可能に設けることができ、スペーサ９６Ａの厚さを変更して平板９５Ａの位置を変位させることにより上記基準面９４Ａと蓄積性蛍光体層２０の表面２１との間隔を調節可能に構成することができる。
【００３８】
すなわち、４つの受部５２Ａの各受面５９Ａを通る平面に平行で、基台５３の側とは反対側に上記平面と間隔Ｄ１だけ隔てて形成される平面Ｈが放射線像記録読取装置の読取面および記録面となるように基台５３上に受部５２Ａを配設し、一方、平板９５Ａが取付けられた蓄積性蛍光体パネル１００Ａにおける蓄積性蛍光体層２０の表面２１と平板９５Ａの基準面９４Ａとの間隔Ｗ３が上記間隔Ｄ１と等しくなるように調節しておくことにより、位置調節を行うことなく、蓄積性蛍光体層２０の表面２１を上記読取面および記録面となる平面Ｈに位置させることができる。
【００３９】
なお、図４に示すように、位置決め部材３０と支持基板１０とが一体化され基準面３１と蓄積性蛍光体層２０の表面２１との間隔Ｗが予め定められた所定の間隔となるように位置決め部材３０が配設された蓄積性蛍光体パネル１００′を、蓄積性蛍光体層２０の表面２１が重力方向に対して平行となるように姿勢を変えて放射線像記録読取装置に配置するときには、蓄積性蛍光体パネル１００′の位置決め部材３０の基準面３１を、放射線像記録読取装置の基台５３′上の受部５２′の受け面５９′に向けて、自重と略等しい力で水平方向に押圧してこの蓄積性蛍光体パネル１００′を配置するようにすればよい。なお、上記押圧力を発生させるには、例えば、基台５３′に配設された各側板５４′の基台５３′の側とは反対側の端部から蓄積性蛍光体層２０の表面２１に対して平行に延びる受板５７に一端が支持され他端が支持基板１０の上面１５で支持されるように、伸縮方向を水平方向に向けて配置されたコイルバネ９７の弾性変形の反力を利用すればよい。
【００４０】
なお、上記実施の形態においては、蓄積性蛍光体パネルが放射線像記録読取装置に配置される例を示したが、放射線像の読取りのみを実施する放射線像読取装置に蓄積性蛍光体パネルを配置する場合にも上記と同様の態様で蓄積性蛍光体パネルの放射線像読取装置への配置を実施することができる。
【図面の簡単な説明】
【図１】本発明の実施の形態による蓄積性蛍光体パネルの概略構成を示す図であり、図１（ａ）は側面図、図１（ｂ）は底面図
【図２】蓄積性蛍光体パネルが配設される放射線像記録読取装置の概略構成を示す図であり、図２（ａ）は平面図、図２（ｂ）は側面図
【図３】位置決め部材の雄ネジ部が支持基板の雌ネジ部に螺合された様子を示す拡大断面図
【図４】蓄積性蛍光体層の表面と位置決め部材の基準面との間隔を所定の間隔に調整する様子を示す側面図
【図５】基台上に載置された蓄積性蛍光体パネルを示す図であり、図５（ａ）は平面図、図５（ｂ）は側面図
【図６】位置決め部材の基準面が基台の受部で支持された様子を示す拡大側面図
【図７】位置決め部材として支持基板に配設されたマイクロメータヘッドを示す図
【図８】位置決め部材として支持基板に配設された円筒ブロックを示す図
【図９】蓄積性蛍光体パネルを放射線像記録読取装置の基台上に配置する前後の状態を示す正面図
【図１０】蓄積性蛍光体パネルを放射線像記録読取装置の基台に配置した状態を示す平面図
【図１１】放射線像記録読取装置に蓄積性蛍光体パネルを蓄積性蛍光体層の表面が水平方向と直交するように配置した様子を示す図
【符号の説明】
１０    支持基板
２０    蓄積性蛍光体層
３０    位置決め部材
３１    基準面
５２    受部
５３    基台
１００    蓄積性蛍光体パネル
２００    放射線像記録読取装置
【図１】
2005049366.tif 000003
【図２】
2005049366.tif 000004
【図３】
2005049366.tif 000005
【図４】
2005049366.tif 000006
【図５】
2005049366.tif 000007
【図６】
2005049366.tif 000008
【図７】
2005049366.tif 000009
【図８】
2005049366.tif 000010
【図９】
2005049366.tif 000011
【図１０】
2005049366.tif 000012
【図１１】
2005049366.tif 000013